(57)【要約】【課題】排出オーガの伸縮の際に穀粒の詰まりや圧縮を防止して、排出作業の効率を向上させたコンバインの提供である。【解決手段】立設オーガ４と穀粒排出口９を設けた横設オーガ５とからなる排出オーガ８を備えたコンバインにおいて、横設オーガ５は、立設オーガ４に連結し、搬送螺旋１４と螺旋軸１１を設けた基部側筒６と基部側筒６に対して伸縮自在であって、伸縮螺旋１５と螺旋軸１６と排出口９を設けた先端側筒７と先端側筒７の伸縮駆動装置２３とを備え、基部側筒６の螺旋軸１１の第１駆動源５５と、基部側筒６の螺旋軸１１と先端側筒７の螺旋軸１６との間に設けられ、第１駆動源５５の動力を螺旋軸１１から螺旋軸１６に伝達するワンウェイクラッチ６０と、先端側筒７の螺旋軸１６を独立駆動する第２駆動源６２とを設ける。第２駆動源６２により先端側筒７内の穀粒を排出後、先端側筒７を縮めることで穀粒の詰まりが発生しない。【選択図】図５
2012010644.tif 000002
【特許請求の範囲】
【請求項１】
脱穀された穀粒を一時貯留するグレンタンク（３）と、グレンタンク（３）内の穀粒を上方に搬送する立設オーガ（４）と該立設オーガ（４）に連接して立設オーガ（４）から搬送される穀粒を搬送して外部に排出する横設オーガ（５）からなる排出オーガ（８）とを備えたコンバインにおいて、
前記横設オーガ（５）は、内部に搬送螺旋（１４）及び該搬送螺旋（１４）の第１螺旋軸（１１）を設けた基部側筒（６）と、該基部側筒（６）に対して伸縮移動自在であって、内部に伸縮自在な伸縮螺旋（１５）及び該伸縮螺旋（１５）の第２螺旋軸（１６）を設けると共に先端部に穀粒の排出口（９）を設けた先端側筒（７）と、該先端側筒（７）を伸縮移動させるための駆動装置（２３）とを備え、
前記搬送螺旋（１４）の第１螺旋軸（１１）を駆動する第１駆動源（５５）と、
前記搬送螺旋（１４）の第１螺旋軸（１１）と前記伸縮螺旋（１５）の第２螺旋軸（１６）との間に設けられ、前記第１駆動源（５５）の動力を搬送螺旋（１４）の第１螺旋軸（１１）から伸縮螺旋（１５）の第２螺旋軸（１６）に伝達するワンウェイクラッチ（６０）と、
前記伸縮螺旋（１５）の第２螺旋軸（１６）を独立して駆動する第２駆動源（６２）と
を設けたことを特徴とするコンバイン。
【請求項２】
前記搬送螺旋（１４）の第１螺旋軸（１１）を支持するベアリング（６５）と、
該ベアリング（６５）の外周を取り囲み、上端部が基部側筒（６）の上部に固着し、下端部と基部側筒（６）の下部との間に隙間を有して、第１螺旋軸（１１）を上方から支持するベアリング支持部材（６７）と、
前記伸縮螺旋（１５）の第２螺旋軸（１６）の外周に設けられ、該第２螺旋軸（１６）と共に回転し、伸縮螺旋（１５）の螺旋体（２０）と一体の螺旋体支持部材（１８）とを設け、
前記ワンウェイクラッチ（６０）は、前記搬送螺旋（１４）の第１螺旋軸（１１）の外周部と前記伸縮螺旋（１５）の螺旋体支持部材（１８）の内周部との間に設けたことを特徴とする請求項１記載のコンバイン。
【請求項３】
前記第２駆動源（６２）に電力を供給するためのバッテリー（８０）を第２駆動源（６２）と一体に設けたことを特徴とする請求項１又は２に記載のコンバイン。
【請求項４】
前記第２駆動源（６２）と一体のバッテリー（８０）とは別に、前記第２駆動源（６２）に電力を供給するバッテリーを前記第１駆動源（５５）側に設けたことを特徴とする請求項３記載のコンバイン。
【発明の詳細な説明】
【技術分野】
【０００１】
本発明は、圃場に植生する穀稈を刈り取って脱穀するコンバインに関する。
【背景技術】
【０００２】
コンバインは穀稈の刈取装置と、脱穀装置と、脱穀後一時的に穀粒を貯留するグレンタンクと、グレンタンクに貯留されている穀粒を排出するオーガなどから構成される。  
刈取装置で刈り取った穀稈は脱穀装置の主脱穀部である扱室に挿入され、脱穀されると更に送風選別されて、グレンタンクへ搬送され、グレンタンクに一時貯留される。グレンタンク内の底部には穀粒移送用のグレンタンク螺旋が設けられており、グレンタンク螺旋を駆動する螺旋駆動軸に、立設された縦オーガおよび横設された横オーガからなる排出オーガを連接し、グレンタンク内に貯留した穀粒を縦オーガ内の縦オーガ螺旋および横オーガ内の横オーガ螺旋の螺旋羽根のスクリュウコンベヤ作用により搬送し、排出オーガの排出口からコンバインの外部に排出する。
【０００３】
このようなコンバインにおける排出オーガでは、エンジンからの動力がグレンタンクの下部螺旋に入力されて、縦オーガの縦オーガ螺旋から横オーガの横オーガ螺旋に伝達される構成である。すなわち、排出口のある横オーガ側から見ると、遠い側から駆動されるので、排出口付近においては先端部が左右又は上下に大きく振られたり、排出口付近で穀粒が詰まりそうになるという不具合があり、排出作業に支障を来す場合があった。  
そこで、下記特許文献１には、穀粒貯留装置（グレンタンク）に穀粒排出装置（排出オーガ）を設けると共に、穀粒排出装置を構成する穀粒排出筒内に穀粒排出用の螺旋を設け、この螺旋を穀粒排出口近傍側から駆動する構成とした穀粒搬送装置が開示されている。
【０００４】
また、コンバインによる全体の作業効率を高めるためには、刈取作業や脱穀作業の他に、穀粒の排出作業をスムーズに行えるようにすることが重要である。そこで、下記特許文献２には、速やかに排出作業が行えるように、排出作業時に排出位置を調整可能とするため、横オーガを旋回及び伸縮自在とした排出オーガの構成が開示されている。そして、特許文献２の構成によれば、排出オーガの操作性を改善するために、自動収納スイッチの操作後、所定時間経過してから収納動作を開始させるようにして、作業者が排出オーガの側から離れる時間を設けて安全性を確保している。
【先行技術文献】
【特許文献】
【０００５】
【特許文献１】特開２０００−３３３５２７号公報
【特許文献２】特開２００１−１７８２５３号公報
【発明の概要】
【発明が解決しようとする課題】
【０００６】
上記特許文献１に記載の構成により、排出口近くの螺旋を排出口側から駆動するため、排出口が大きく左右、上下方向に振られることが少なく、また、排出口近傍で穀粒が停滞したり、排出口を塞いだりすることがない。また、上記特許文献２に記載の構成により、自動収納スイッチを押してから排出オーガの収納が始まるまでに作業者が排出オーガの側から離れる余裕があることで、操作性と安全性が良好となる。
【０００７】
しかし、特許文献２の伸縮自在の排出オーガにおいては、横オーガを延ばした状態で穀粒の排出を行い、途中で排出を停止した場合に、自動収納ボタンを押したり、手動により縮める操作を行ったりすると、横オーガの伸縮構成部材に穀粒や籾が挟まって詰まったり、圧縮されたり、また排出口からの穀粒や籾のこぼれ、穀粒や籾の損傷、横オーガの螺旋の係合が外れるなど、様々な問題がある。したがって、穀粒の排出作業の効率が悪くなって、コンバインによる全体の作業効率も低下してしまう。
【０００８】
特許文献１の排出オーガでは、排出口近傍の穀粒は排出されるものの、横オーガの伸縮時の上記問題に関しては、何ら考慮されていない。すなわち、特許文献１の排出オーガの構成を特許文献２の伸縮自在の排出オーガに適用した場合も、排出口近傍の穀粒や籾のこぼれ落ちを防止できるのみで、横オーガの伸縮構成部材に穀粒や籾が挟まるという上記不具合には対応できない。
【０００９】
そこで、本発明の課題は、上記問題点を解決することであり、伸縮自在の排出オーガを設けたコンバインにおいて、排出オーガの伸縮の際に穀粒や籾の詰まりや圧縮を防止して、排出作業の効率を向上させたコンバインの提供である。
【課題を解決するための手段】
【００１０】
本発明の上記課題は、以下の手段により解決できる。  
請求項１記載の発明は、脱穀された穀粒を一時貯留するグレンタンク（３）と、グレンタンク（３）内の穀粒を上方に搬送する立設オーガ（４）と該立設オーガ（４）に連接して立設オーガ（４）から搬送される穀粒を搬送して外部に排出する横設オーガ（５）からなる排出オーガ（８）とを備えたコンバインにおいて、前記横設オーガ（５）は、内部に搬送螺旋（１４）及び該搬送螺旋（１４）の第１螺旋軸（１１）を設けた基部側筒（６）と、該基部側筒（６）に対して伸縮移動自在であって、内部に伸縮自在な伸縮螺旋（１５）及び該伸縮螺旋（１５）の第２螺旋軸（１６）を設けると共に先端部に穀粒の排出口（９）を設けた先端側筒（７）と、該先端側筒（７）を伸縮移動させるための駆動装置（２３）とを備え、前記搬送螺旋（１４）の第１螺旋軸（１１）を駆動する第１駆動源（５５）と、前記搬送螺旋（１４）の第１螺旋軸（１１）と前記伸縮螺旋（１５）の第２螺旋軸（１６）との間に設けられ、前記第１駆動源（５５）の動力を搬送螺旋（１４）の第１螺旋軸（１１）から伸縮螺旋（１５）の第２螺旋軸（１６）に伝達するワンウェイクラッチ（６０）と、前記伸縮螺旋（１５）の第２螺旋軸（１６）を独立して駆動する第２駆動源（６２）とを設けたコンバインである。
【００１１】
請求項２記載の発明は、前記搬送螺旋（１４）の第１螺旋軸（１１）を支持するベアリング（６５）と、該ベアリング（６５）の外周を取り囲み、上端部が基部側筒（６）の上部に固着し、下端部と基部側筒（６）の下部との間に隙間を有して、第１螺旋軸（１１）を上方から支持するベアリング支持部材（６７）と、前記伸縮螺旋（１５）の第２螺旋軸（１６）の外周に設けられ、該第２螺旋軸（１６）と共に回転し、伸縮螺旋（１５）の螺旋体（２０）と一体の螺旋体支持部材（１８）とを設け、前記ワンウェイクラッチ（６０）は、前記搬送螺旋（１４）の第１螺旋軸（１１）の外周部と前記伸縮螺旋（１５）の螺旋体支持部材（１８）の内周部との間に設けた請求項１記載のコンバインである。
【００１２】
請求項３記載の発明は、前記第２駆動源（６２）に電力を供給するためのバッテリー（８０）を第２駆動源（６２）と一体に設けた請求項１又は２に記載のコンバインである。
【００１３】
請求項４記載の発明は、前記第２駆動源（６２）と一体のバッテリー（８０）とは別に、前記第２駆動源（６２）に電力を供給するバッテリーを前記第１駆動源（５５）側に設けた請求項３記載のコンバインである。
【発明の効果】
【００１４】
請求項１記載の発明によれば、伸縮自在の横設オーガ（５）の基部側筒（６）の第１螺旋軸（１１）と先端側筒（７）の第２螺旋軸（１６）との間にワンウェイクラッチ（６０）を設け、更に先端側筒（７）の第２螺旋軸（１６）が独立して排出駆動される第２駆動源（６２）を設けることで、穀粒や籾の排出途中で排出作業を停止したとき、すなわちグレンタンク（３）に穀粒や籾が残っている状態でも、先端側筒（７）の第１螺旋軸（１６）のみ排出駆動させて先端側筒（７）内の穀粒や籾を排出した後、先端側筒（７）を縮めることで、横設オーガ（５）の伸縮構成部材に穀粒や籾が挟まって詰まったり、圧縮されたり、また排出口（９）からの穀粒や籾のこぼれ、穀粒や籾の損傷、横設オーガ（５）の螺旋の係合が外れることなどを防止できる。
【００１５】
また、請求項２記載の発明によれば、上記請求項１記載の発明の効果に加えて、ベアリング支持部材（６７）は上端部が基部側筒（６）の上部に固着して、搬送螺旋（１４）の第１螺旋軸（１１）を上方から支持することで、第１螺旋軸（１１）の支持構造が強固且つ簡素となる。一方、搬送螺旋（１４）の第１螺旋軸（１１）の下方はベアリング支持部材（６７）と基部側筒（６）との間に隙間があるため、基部側筒（６）内の穀粒が第１螺旋軸（１１）の下方に溜まっても、スムーズに搬送されるので、基部側筒（６）内に穀粒が堆積することを防止できる。
【００１６】
そして、基部側筒（６）の搬送螺旋（１４）の第１螺旋軸（１１）と先端側筒（７）の伸縮螺旋（１５）の螺旋体支持部材（１８）との間にワンウェイクラッチ（６０）を設けることで、第１駆動源（５５）からの動力を搬送螺旋（１４）の第１螺旋軸（１１）から伸縮螺旋（１５）の第２螺旋軸（１６）への一方向にのみ伝達でき、第２駆動源（６２）により第２螺旋軸（１６）を駆動しても、この第２螺旋軸（１６）の回転が第１螺旋軸（１１）側へ伝わらないので、第１駆動源（５５）側の伝動機構の故障を防止することができる。
【００１７】
更に、請求項３記載の発明によれば、上記請求項１又は２に記載の発明の効果に加えて、先端側筒（７）の伸縮螺旋（１５）のみ独立して排出駆動が可能な第２駆動源（６２）にバッテリー（８０）を一体化することで、電圧の降下を防止できると共に、電気的な配索が不要であるため、排出オーガ（８）の構成が簡素となり、コンパクトな設計が可能となる。
【００１８】
更に、請求項４記載の発明によれば、上記請求項３記載の発明の効果に加えて、第２駆動源（６２）のバッテリー（８０）の電力が不足した場合に、第１駆動源（５５）のバッテリーから第２駆動源（６２）に電力を供給することにより、エネルギーの有効利用が図れる。
【図面の簡単な説明】
【００１９】
【図１】本発明の実施形態の穀類の収穫作業を行うコンバインの左側面図である。
【図２】図１のコンバインの平面図である。
【図３】図１のコンバインの排出オーガの中間状態の側面図である。
【図４】図１のコンバインの排出オーガの最伸状態の側面図（図４（ａ））と最縮状態の側面図（図４（ｂ））である。
【図５】図１のコンバインの排出オーガの横オーガの詳細図である。
【図６】図１のコンバインの横オーガ伸縮螺旋の螺旋単体の斜視図である。
【図７】図１のコンバインの排出オーガの動力の伝動系統図である。
【図８】図１のコンバインの排出オーガの横オーガの内部詳細図である。
【図９】図８（ａ）のＡ２−Ａ２線矢視図（簡略図）である。
【図１０】図１のコンバインの排出オーガの排出口付近の図である。
【図１１】図１のコンバインの制御装置（排出オーガ関係）のブロック図である。
【図１２】本発明の他の実施形態のコンバインの平面図である。
【図１３】図１２のコンバインの右側面図（刈取装置下降時）である。
【図１４】図１２のコンバインの右側面図（刈取装置上昇時）である。
【図１５】図１２のコンバインの一部拡大図である。
【図１６】図１２のコンバインの制御装置（刈取、走行関係）のブロック図である。
【図１７】図１２のコンバインの制御装置による操作席の昇降制御のフローである。
【発明を実施するための形態】
【００２０】
本発明の実施の形態について以下図面と共に説明する。図１は本実施形態のコンバインの左側面図であり、図２は図１のコンバインの平面図である。なお、本実施の形態ではコンバインの前進方向に向かって前側と後側をそれぞれ前、後といい、左側と右側をそれぞれ左、右ということにする。  
コンバインは、車体フレーム２の下部にゴムなどの可撓性材料を素材として無端帯状に成型した左右一対のクローラ１を持ち、乾田はもちろんのこと、湿田においてもクローラ１が若干沈下するだけで自由に走行できる構成の走行装置を備えている。
【００２１】
そして、車体フレーム２の前部には刈取装置３４及び供給搬送装置４９を搭載し、車体フレーム２の上部には第１駆動源であるエンジン５５（図７）ならびにグレンタンク３、脱穀装置３７、操作席４０を備えている。操作席４０においてオペレータが操縦、操作して圃場に植立する穀稈を刈取装置３４によって刈り取り、刈り取った穀稈を供給搬送装置４９で搬送した後、脱穀装置３７で脱穀し、脱穀後の穀粒をグレンタンク３に収容して、グレンタンク３の底部に設けた底部螺旋１０（図７）によって穀粒を後方へ排出して排出オーガ８によりコンバインの外部へ搬送する。排出オーガ８は、底部螺旋１０の後端部に連接されて上方へ搬送する縦オーガ（立設オーガ）４および縦オーガ４に連接され、横方向へ穀粒を搬送する横オーガ（横設オーガ）５などからなる。横オーガ５の先端には穀粒の排出口９が設けられている。排出オーガ８は横オーガ５が伸縮自在な伸縮オーガである。
【００２２】
図３には、図１のコンバインの排出オーガの中間状態の側面図を示し、図４には、図１のコンバインの排出オーガの最伸状態の側面図（図４（ａ））と最縮状態の側面図（図４（ｂ））を示す。  
そして、排出オーガ８の横オーガ５（図３）は、縦オーガ４の上部に上下方向へ昇降自在に接続する基部側の固定搬送筒６と、固定搬送筒６に接続する先端側の移動搬送筒７とからなり、以下、その構成を具体的に説明する。
【００２３】
まず、固定搬送筒６は、図３に示すように、基部を縦オーガ４の上部に連結し、先端部を外方に延長して設け、その筒内には、始端部を縦オーガ４の縦オーガ螺旋１３（図７）に接続した横オーガ螺旋１４（図５、図７）を内装して、縦オーガ螺旋１３から受け継いだ穀粒を搬送する。また、横オーガ螺旋１４と縦オーガ螺旋１３との接続部には中間螺旋３６（図７）が設けられている。
【００２４】
そして、移動搬送筒７は、図３に示すように、先端部に穀粒の排出口９を開口して設け、基部側を前記固定搬送筒６の先端側から挿入嵌合して摺動自由に連結し、その筒内には、始端部を前記横オーガ螺旋１４に接続した横オーガ伸縮螺旋１５を内装しており、横オーガ螺旋１４から受け継いだ穀粒を排出する。
【００２５】
図４には、固定搬送筒６と移動搬送筒７の先端部の位置が種々変化する様子を示している。圃場との配置関係で横オーガ５の移動搬送筒７の先端部の位置は、図３に示すように、伸縮駆動装置２３内の伸縮制御モータ２４で回転する螺旋軸２５の螺旋溝が移動搬送筒７の基部に取り付けられた移動装置２６に係合することで、移動搬送筒７を伸縮移動させ、伸縮量を調整する。
【００２６】
このとき、伸縮駆動装置２３の基部と先端にそれぞれ取り付けられた各リミットスイッチ（伸張リミットスイッチＳ１、短縮リミットスイッチＳ２）がスイッチ感知板を兼ねる移動装置２６に接触すると伸縮制御モータ２４が停止して、それぞれ図４（ａ）に示すオーガ最伸状態と図４（ｂ）に示すオーガ最縮状態に移動搬送筒７が停止する。なお、前記伸縮制御モータ２４を作動させる伸縮スイッチ（図示省略）は、操作席４０近傍に配置している。
【００２７】
図５には、横オーガ５の詳細図を示す。図５（ａ）及び（ｂ）には、図３及び図４に示した伸縮駆動装置２３を省略した場合の横オーガ５の内部側面図を示し、図５（ｃ）には、移動搬送筒７の内部側面拡大図（一部断面図）を示し、図５（ｄ）には、排出口９付近の正面図を示している。なお、図５（ａ）には横オーガ伸縮螺旋１５の螺旋単体間の距離が最長の場合を示し、図５（ｂ）には横オーガ伸縮螺旋１５の螺旋単体間の距離が最短の場合を示している。また、図６には横オーガ５の移動搬送筒７内の横オーガ伸縮螺旋１５の螺旋の斜視図を示す。
【００２８】
横オーガ５の固定搬送筒６内の横オーガ螺旋１４は、螺旋軸（第１螺旋軸）１１の外周に溶接され螺旋間の間隔が固定されているが、移動搬送筒７の横オーガ伸縮螺旋１５は螺旋間の間隔が変更できる構成である。図５に示すように移動搬送筒７内において、先端部を排出口９の上方位置に軸受して後部を固定搬送筒６側に延長して横オーガ螺旋１４の螺旋軸１１内に摺動自由に挿入した伸縮螺旋１５の螺旋軸（第２螺旋軸）１６を軸架して設け、この螺旋軸１６に多数の螺旋単体１７を摺動自由に嵌合して相互の間隔を調節できるように構成している。
【００２９】
そして、螺旋単体１７は、螺旋軸１６に摺動自由に嵌合する外周部が円筒状の軸受ボス（螺旋体支持部材）１８の外周面に固定された平板状のスペーサ１９と該スペーサ１９の両端部と軸受けボス１８に支持固定されたスパイラル形状の螺旋体２０から構成されている。螺旋体２０は軸受けボス１８と一体である。そして、スペーサ１９の両端はフック状になっており、互いに隣接するスペーサ１９のフック１９ａ同士が係合可能になっている。
【００３０】
そして、軸受けボス１８の長さＬ１は図６（ａ）に示すように、スペーサ１９の長さＬ２の約半分であり、またスペーサ１９の幅は軸受けボス１８の半径より小さいので、螺旋単体１７は図６（ｂ）に示すように、螺旋体２０を隣接の螺旋体２０に最も接近したとき、隣接の軸受けボス１８との間に間隔ができないように近接させることができる。そして、図６（ａ）に示すように隣接する軸受けボス１８同士の間隔が最も離れたときには、隣接するスペーサ１９のフック１９ａ同士が係合し、隣接する螺旋体２０同士を係止して離脱を防止するために螺旋単体１７が最も離れても螺旋体２０同士は繋がっている。
【００３１】
このように螺旋単体１７は、六角軸にした螺旋軸１６に対して、回転方向へは規制され、軸方向には摺動自由の状態にして嵌合され、複数によって一連の横オーガ伸縮螺旋１５を構成している。
【００３２】
図７には、本実施形態のコンバインの排出オーガ８の排出動力の伝動系統図を示す。  
エンジン５５からの動力が変速装置５８を介してグレンタンク３の螺旋駆動軸５９から底部螺旋１０に伝達され、更に縦オーガ４の縦オーガ螺旋１３の駆動軸１２、該駆動軸１２と横オーガ螺旋１４の螺旋軸１１とを接続する中間螺旋３６の中間螺旋軸３９、横オーガ螺旋１４の螺旋軸１１、横オーガ伸縮螺旋１５の螺旋軸１６の順に伝達されることで、グレンタンク３内の穀粒が排出口９から排出される。
【００３３】
従来の伸縮する排出オーガでは、横オーガを延ばした状態で穀粒の排出を行い、途中で排出を停止した場合に、自動収納ボタンを押したり、手動により縮める操作を行ったりすると、横オーガの伸縮構成部材に穀粒や籾が挟まって詰まったり、圧縮されたりすることで、穀粒や籾の損傷、横オーガの螺旋の係合が外れるなどの問題があり、穀粒の排出作業の効率が良くないなどの問題があった。  
また、排出口近くの螺旋を排出口側から駆動する場合でも、排出口近傍の穀粒は排出されるものの、横オーガの伸縮時における伸縮構成部材に穀粒や籾が挟まるという上記不具合には対応できない。
【００３４】
そこで、本実施形態のコンバインによれば、横オーガ螺旋１４の螺旋軸１１と横オーガ伸縮螺旋１５の螺旋軸１６との間に、エンジン５５からの動力を横オーガ螺旋１４の螺旋軸１１から横オーガ伸縮螺旋１５の螺旋軸１６への一方向にのみ伝達するワンウェイクラッチ６０を設け、更に、横オーガ伸縮螺旋１５の螺旋軸１６のみ独立して駆動するモータ６２（第２駆動源）を設けたことを特徴としている。モータ６２は横オーガ５の先端の排出口９に設けることで、容易且つ簡便に横オーガ伸縮螺旋１５の螺旋軸１６のみ独立して駆動できる。
【００３５】
本構成を採用することにより、穀粒や籾の排出途中で排出作業を停止したとき、すなわちグレンタンク３内に穀粒や籾が残っている状態でも、排出側の横オーガ伸縮螺旋１５のみをモータ６２によって回転駆動させて移動搬送筒７内の穀粒や籾を排出した後、移動搬送筒７を縮めることで、移動搬送筒７や固定搬送筒６、横オーガ螺旋１４や横オーガ伸縮螺旋１５、横オーガ螺旋１４の螺旋軸１１や横オーガ伸縮螺旋１５の螺旋軸１６などの伸縮構成部材に穀粒や籾が挟まって詰まったり、圧縮されたり、また排出口９からの穀粒や籾のこぼれ、穀粒や籾の損傷、横オーガ伸縮螺旋１５の螺旋体２０の係合が外れることなどを防止できる。したがって、穀粒の排出作業の効率が向上する。
【００３６】
図８及び図９には、図１のコンバインの排出オーガ８の横オーガ５の内部詳細図を示し、図１０には図１のコンバインの排出オーガ８の排出口９付近の図を示す。  
図８（ａ）は、横オーガ５の内部側面図（一部断面図）を示し、図８（ｂ）は、図８（ａ）のＡ１−Ａ１線矢視図を示し、図９は図８（ａ）のＡ２−Ａ２線矢視図（簡略図）を示す。また、図１０（ａ）は、移動搬送筒７の内部側面図（一部断面図）を示しており、図１０（ｂ）は、図１０（ａ）の矢印Ｂ方向から見た場合の図（モータ６２は省略）を示している。
【００３７】
図９に示すように、固定搬送筒６の横オーガ螺旋１４の螺旋軸１１は、ベアリング６５（図９では図示省略）を介してベアリング支持部材６７によって固定搬送筒６内に上方から吊り下げて支持されている。ベアリング支持部材６７は螺旋軸１１のベアリング６５の外周を取り囲み、上端部が固定搬送筒６の内壁上部に固着し、下端部と固定搬送筒６の内壁下部との間に隙間を有して、上方から横オーガ螺旋１４の螺旋軸１１を支持している。横オーガ螺旋１４の螺旋軸１１は、上端部が固定搬送筒６の内壁上部に固着したベアリング支持部材６７によって周囲を取り囲んで支持されることで、支持構造が強固且つ簡素となる。一方、図９に示すように、螺旋軸１１の下方であって固定搬送筒６の内壁下部にはベアリング支持部材６７がなく隙間があるため、固定搬送筒６内の穀粒イが螺旋軸１１の下方に溜まっても、スムーズに搬送されるので、固定搬送筒６内に穀粒イが堆積することを防止できる。
【００３８】
そして、横オーガ螺旋１４の螺旋軸１１の外周部と横オーガ伸縮螺旋１５の螺旋体２０の軸受けボス１８の内周部との間にワンウェイクラッチ６０（図８に斜線で示す）が設けられている。横オーガ螺旋１４の螺旋軸１１と横オーガ伸縮螺旋１５の螺旋軸１６との間にワンウェイクラッチ６０を設けることで、エンジン５５からの動力を横オーガ螺旋１４の螺旋軸１１から横オーガ伸縮螺旋１５の螺旋軸１６への一方向にのみ伝達できる。  
従来の伸縮する排出オーガでは、基部側の固定搬送筒の搬送螺旋の螺旋軸と先端側の移動搬送筒の伸縮螺旋の伝動軸は共に六角形状であり、基部側の螺旋軸が回動すると、先端側の伝動軸も一体的に駆動される構成であった。
【００３９】
しかし、本構成によれば、図８（ｂ）に示すように、排出オーガ先端側の横オーガ伸縮螺旋１５の螺旋軸１６は六角形状であるが、基部側の横オーガ螺旋１４の螺旋軸１１を、横オーガ伸縮螺旋１５の螺旋軸１６の六角形の外接円よりも径の大きい円筒状に形成することで、両回転軸が別々に回転可能となる。  
そして、基部側の横オーガ螺旋１４の螺旋軸１１がエンジン５５からの動力により回転すると、ワンウェイクラッチ６０を介して螺旋軸１６が回転駆動され、横オーガ伸縮螺旋１５の螺旋体２０及び螺旋軸１６が回転する。
【００４０】
一方、モータ６２によって先端側の横オーガ伸縮螺旋１５の螺旋軸１６が回転すると、移動搬送筒７内の穀粒は排出口９から外部に排出されるが、ワンウェイクラッチ６０が空転するため螺旋軸１６から固定搬送筒６内の横オーガ螺旋１４の螺旋軸１１には動力が伝達されない。したがって、固定搬送筒６内の穀粒は排出されず、溜まったままの状態を保つ。また、第１駆動源であるエンジン５５側の故障を防止できる。
【００４１】
図１０に示すように、移動搬送筒７の横オーガ伸縮螺旋１５の螺旋軸１６内に駆動軸７０が挿入し、駆動軸７０とモータ６２のモータ軸６２ａはカップリング７３によりベアリング７５を介して連結している。  
本構成を採用することにより、横オーガ螺旋１４の螺旋軸１１の外周部と横オーガ伸縮螺旋１５の螺旋体２０の軸受けボス１８の内周部との間にワンウェイクラッチ６０を設けることで、簡素な構成となり、またモータ６２のモータ軸６２ａと横オーガ伸縮螺旋１５の螺旋軸１６をベアリング７５を介してカップリング７３によって連結することで、排出側の横オーガ伸縮螺旋１５のみ回転駆動が可能となる。
【００４２】
そして、横オーガ伸縮螺旋１５のみ回転駆動させて移動搬送筒７内の穀粒や籾を排出した後、移動搬送筒７を縮めることで、移動搬送筒７や固定搬送筒６、横オーガ螺旋１４や横オーガ伸縮螺旋１５、横オーガ螺旋１４の螺旋軸１１や横オーガ伸縮螺旋１５の螺旋軸１６などの伸縮構成部材に穀粒や籾が挟まって詰まったり、圧縮されたり、また排出口９からの穀粒や籾のこぼれ、穀粒や籾の損傷、横オーガ伸縮螺旋１５の螺旋体２０の係合が外れることなどを防止できる。したがって、穀粒の排出作業の効率が向上する。
【００４３】
また、移動搬送筒７の横オーガ伸縮螺旋１５のモータ６２にバッテリー８０（図１０）を一体化させると、電圧の降下を防止できると共に、電気的な配索が不要であるため、排出オーガ８の構成が簡素となり、コンパクトな設計が可能となる。  
そして、移動搬送筒７の横オーガ伸縮螺旋１５のモータ６２側のバッテリー８０の電力が不足した場合には、コンバインのエンジン５５側のバッテリー（図示省略）から電力を供給しても良い。横オーガ伸縮螺旋１５のモータ６２側のバッテリー８０の電力が不足した場合に、エンジン５５側のバッテリーからモータ６２に電力を供給することにより、エネルギーの有効利用が図れる。
【００４４】
図１１には、図１のコンバインの制御装置のブロック図（排出オーガ関係）を示す。  
コンバインの操作席４０の側方には、排出オーガ８の操作用のスイッチ（図示省略）が配置されている。グレンタンク３の螺旋駆動軸５９、縦オーガ螺旋１３の駆動軸１２、中間螺旋３６の中間螺旋軸３９、横オーガ螺旋１４の螺旋軸１１、横オーガ伸縮螺旋１５の螺旋軸１６などの排出オーガ８の螺旋の駆動変速スイッチ１０７、横オーガ７を上昇させるためのオーガ上げスイッチ１０９、横オーガ７を下降させるためのオーガ下げスイッチ１１１、横オーガ７を右側に旋回させるためのオーガ右旋回スイッチ１１３、横オーガ７を左側に旋回させるためのオーガ左旋回スイッチ１１５、緊急時に排出オーガ８の旋回を停止させるための緊急停止スイッチ１１９、エンジン５５始動用のキースイッチ１２１、グレンタンク３内の穀粒を排出するため、グレンタンク３の底部螺旋１０、縦オーガ４の駆動軸１２、中間螺旋軸３９、横オーガ螺旋１４の螺旋軸１１、横オーガ伸縮螺旋１５の螺旋軸１６を駆動させる排出スイッチ１２３などそれぞれのスイッチの操作情報が制御装置（ＣＰＵ）１００に入力される。説明は省略するが、縦オーガ４は左右に旋回可能な構成であり、図示しない旋回モータにより縦オーガ４の外周部に設けられた駆動ギヤを介して縦オーガ４の旋回を行う。
【００４５】
また、移動搬送筒７の伸縮量を検出するオーガ伸縮量センサ１０１、グレンタンク３内の穀粒の量を検出する穀粒センサ１０３、横オーガ７の左右旋回位置を検出するオーガポジションセンサ１０５などから各センサの電気信号が制御装置１００に入力される。
【００４６】
そして、制御装置１００からは入力信号を演算処理した結果を横オーガ伸縮螺旋１５の螺旋軸１６のみ独立して駆動するモータ６２、横オーガ７を旋回させるためのオーガ旋回モータ１２５、操作席４０のモニタ１２７、横オーガ７を上昇させるためのオーガ上昇ソレノイド１２９、横オーガ７を下降させるためのオーガ下降ソレノイド１３１などに出力する。なお、横オーガ７の基部と縦オーガ４の上部との間にはオーガ昇降シリンダ（図示省略）が連結し、オーガ上昇ソレノイド１２９及びオーガ下降ソレノイド１３１によってオーガ昇降シリンダが伸縮作動することで、横オーガ７は縦オーガ４上部の中間螺旋軸３９を支点として上下方向に回動する。
【００４７】
そして、移動搬送筒７の横オーガ伸縮螺旋１５のモータ６２側のバッテリー８０の電力とコンバインのエンジン５５側のバッテリーの電力をモニタ１２７に表示し、残電力が少なくなったときは絵、図表、文字、数字、明るさなど、視認により警告する構成としてもよい。また、ブザーなどの音声による警告を併用してもよい。
【００４８】
モータ６２側のバッテリー８０とエンジン５５側のバッテリーの残電力が少なくなると警告により操作席４０のオペレータが認識できるため、一種の安全装置として機能する。したがって、これらのバッテリーの電力がなくなって、突然、排出オーガ８の排出作業の駆動が停止することを防止できる。
【００４９】
また、穀粒の通常の排出時に横オーガ伸縮螺旋１５のモータ６２により発電し、モータ６２側のバッテリー８０に蓄電可能な構成にすると、モータ６２による発電（蓄電）とバッテリー８０からモータ６２への電力供給が可能となる。  
したがって、本構成により、モータ６２のバッテリー８０に常時充電できるため、非常時でもバッテリー８０の充電不足で排出作業の駆動が停止することを防止できる。
【００５０】
そして、横オーガ伸縮螺旋１５のモータ６２として電磁式のブレーキ（図示省略）を内蔵したモータを用い、このモータ６２の停止時にブレーキを作動させることで瞬時に排出作業の駆動が停止する構成にすると、非常時や緊急時に移動搬送筒７の横オーガ伸縮螺旋１５の排出作業を停止でき、安全である。  
また、横オーガ伸縮螺旋１５のモータ６２によってバッテリー８０の容量を超える電力が発電された場合は、コンバインのエンジン５５側のバッテリーに蓄電する構成にすると、エネルギーの有効利用が図れる。
【００５１】
図１２には、本発明の他の実施形態のコンバインの平面図を示し、図１３には、図１２のコンバインの右側面図（刈取装置下降時）を示し、図１４には、図１２のコンバインの右側面図（刈取装置上昇時）を示し（操作席昇降シリンダ９４の図示は省略）、図１５には、図１２のコンバインの一部拡大図を示す。更に、図１６には、図１２のコンバインの制御装置（刈取、走行関係）のブロック図を示す。  
なお、図１２〜図１４では伸縮駆動装置２３やモータ６２などの横オーガ５の構成部材を一部省略している。
【００５２】
刈取装置３４は、立毛する穀稈を左右に分草する分草具４３，４３…、分草後の穀稈を引き起す４条分の穀稈引起し装置４８…、引起し後の穀稈を刈り取るバリカン式の刈刃装置４６、刈取後の穀稈を掻込搬送する掻込搬送装置（図示省略）、掻込搬送後の穀稈を引き継いで揚上搬送し後方の脱穀装置３７に搬送供給する供給搬送装置４９（図１）、図示しない株元側供給チェン、穂先側ラグ付き供給チェン５３（図１）等からなり、車体フレーム２に対して上下に昇降可能で前後方向に沿わせて設けた刈取縦フレーム４７及び該刈取縦フレーム４７の先端に左右横方向に沿わせて設けた刈取横フレーム５６に装備している。
【００５３】
刈取縦フレーム４７の基部（上部）にはエンジン動力を刈取装置３４の駆動部に伝達するための伝動軸（図示省略）があり、その周りに回転自在に取付けた横伝動筒を中心に図示しない刈取昇降シリンダの伸縮作用により刈取装置３４全体を昇降して、圃場に植生する穀稈を所定の高さで刈取りができる構成としている。図示しない刈取装置昇降スイッチを入り切りすると刈取装置昇降スイッチに設けたスイッチセンサから電気信号が制御装置１００に入力される。そして、制御装置１００からは、刈取昇降シリンダを伸縮作動させるための刈取部昇降ソレノイド１３４（図１６）に出力する。
【００５４】
そして、本実施形態のコンバインは、刈取装置３４だけではなく、操作席４０も昇降可能な構成である。コンバインの作業状態に応じて操作席４０が昇降することで、コンバインの刈取作業中に、分草具４３の視認性を向上させることができる。すなわち、分草具４３によって適切に穀稈が分草されているか否かを確認できる。
【００５５】
図１３に示すように、操作席４０のフロアステップ９０とサブステップフレーム９２との間に操作席昇降シリンダ（油圧ジャッキなどでもよい）９４を設けると、操作席昇降シリンダ９４の伸縮により、フロアステップ９０の前端部（操作席４０の前方パネル９５の下端部でもよい）を支点Ｔとしてフロアステップ９０と一体の操作席４０が回動し、操作席４０の後部が上下動する。なお、操作席４０のフロアステップ９０の下方にモータ（図示省略）を設けて、モータのモータ軸が正方向又は逆方向に回転することで、モータ軸の上部に連結したフロアステップ９０が上下動し、操作席４０が昇降する構成でも良い。
【００５６】
なお、サブステップフレーム９２は車体フレーム２に固定されており、操作席昇降シリンダ９４の伸縮によってサブステップフレーム９２上面とフロアステップ９２の底面との間隔が拡がったり、狭まったりする。サブステップフレーム９２内には変速装置５８などの油圧装置が収納されているため、サブステップフレーム９２までもが昇降する構成の場合、昇降装置全体が大掛かりになって構成が複雑化する。しかし、サブステップフレーム９２を車体フレーム２に固定することで、フロアステップ９０のみ上下動させるだけでよく、操作席４０の昇降の構成が簡素になる。また、経済的でもある。
【００５７】
そして、操作席４０全体が水平に昇降する構成の場合は昇降シリンダが複数必要になったり、又は昇降シリンダの他に昇降装置が必要になったりするが、操作席４０の前部を支点として操作席４０が上下に回動する構成とすれば、昇降シリンダの数も少なくてすみ（本実施例の場合は一つ）、操作席４０の昇降の構成が簡素になる。  
そして、操作席４０が前傾姿勢を取るため、分草具４３の先端部（前部）がよく見える。したがって、オペレータが前方下部をのぞき込まなくても分草具４３の視認性が確保され、コンバインの作業走行時の操作性も向上する。
【００５８】
そして、操作席４０が刈取装置３４の下降時に上昇作動するように制御装置１００によって操作席昇降シリンダ９４を伸張させると、操作席４０の昇降の誤操作を防止できるため、安全性が向上する。刈取装置３４の高さを検出する刈取昇降センサ１３２を刈取縦フレーム４７の基部（支持部）に設ける。刈取昇降センサ１３２からの電気信号は制御装置１００に入力され、制御装置１００から操作席昇降シリンダ９４を伸縮作動させるための操作席昇降ソレノイド１３５に出力する。
【００５９】
刈取装置３４の上昇時は、コンバインの旋回時などであり、作業走行時ではないため、操作席４０が上昇すると機体の重心が高くなってバランスを取りにくくなるが、刈取装置３４の下降時にのみ操作席４０を上昇作動させることで、コンバインの安定した走行が可能となり、安全である。  
また、操作席昇降シリンダ９４の作動用のスイッチ（図示省略）を設けた場合に、刈取装置３４の上昇時でもスイッチの誤操作によって操作席４０を上昇させてしまうことが考えられるが、そのような誤操作を防止でき、安全性が向上する。
【００６０】
そして、操作席４０と刈取装置３４とが干渉しないように、刈取装置３４の上昇時に操作席４０の前方パネル９５と刈取装置３４の後部とが接触しない範囲で操作席４０が回動するように操作席昇降シリンダ９４の伸張度合いを調節すれば、操作席４０の前方パネル９５や刈取装置３４の破損を防止でき、安全である。  
また、刈取装置３４が一定高さ（一定値）以上に上昇した場合に、操作席４０を下降させて元の位置（最下位置）に戻すように制御装置１００によって操作席昇降シリンダ９４を短縮作動させることで、刈取装置３４と操作席４０の前方パネル９５との干渉を防止できる。
【００６１】
更に、操作席４０の上昇時には、操作席４０が上昇中であること又は上昇位置にあることを視認できるようにモニタ１２７に表示すると、コンバインの操作性が向上する。例えば、操作席４０の高さを検出するセンサ又は操作席昇降シリンダ９４の伸縮度合いを検出するセンサなどにより、操作席４０の最下位置からの上昇高さが分かるように絵、図表、文字、数字、明るさなどでモニタ１２７に表示するとよい。
【００６２】
そして、コンバインの刈取装置３４や脱穀装置３７の入り切りを行う脱穀クラッチ（図示省略）が入りの時には操作席４０が上昇して、脱穀クラッチが切りの時には操作席４０が下降するように、制御装置１００によって操作席昇降シリンダ９４を作動させることで、操作席４０の昇降の誤操作を防止でき、安全性が向上する。
【００６３】
脱穀クラッチの入り切りは脱穀クラッチレバー（図示省略）の操作により行う。そして、脱穀クラッチレバーの基部に脱穀クラッチセンサ１５０を設ける。脱穀クラッチセンサ１５０からの電気信号は制御装置１００に入力され、制御装置１００から操作席昇降シリンダ９４を作動させるための操作席昇降ソレノイド１３５に出力する。  
操作席昇降シリンダ９４の作動用のスイッチ（図示省略）を設けた場合に、脱穀クラッチの切り時でもスイッチの誤操作によって操作席４０を上昇させてしまうことが考えられるが、そのような誤操作を防止でき、安全性が向上する。
【００６４】
また、本実施形態のコンバインは副変速レバー１４０を前後方向に操作することで、低速から高速にかけて複数段階に変速可能である。そして、副変速レバー１４０の操作位置が比較的高速の位置以外の位置で操作席４０が上昇するように制御装置１００によって操作席昇降シリンダ９４を伸張作動させると良い。例えば、低速、中速、高速の３段階のモードに変速可能な場合、副変速レバー１４０が高速位置以外の低速位置や中速位置で操作席４０が上昇するように制御装置１００によって操作席昇降シリンダ９４を伸張作動させる。
【００６５】
副変速レバー１４０の操作位置は、副変速レバー１４０の基部に設けた副変速レバーセンサ１４２によって検出される。副変速レバーセンサ１４２からの電気信号は制御装置１００に入力されて、制御装置１００からは、操作席昇降シリンダ９４を伸縮作動させるための操作席昇降ソレノイド１３５に出力する。  
コンバインの路上走行時などの高速走行時には、作業走行よりも速度が速いため、操作席４０が上昇すると機体の重心位置が高くなってバランスを取りにくくなる。
【００６６】
しかし、本構成により、副変速レバー１４０の操作位置が高速位置の時は操作席４０は上昇せず下降したままの状態又は上昇位置から下降するように制御装置１００によって操作席昇降シリンダ９４を短縮作動させることで、安定した走行が可能となり、安全である。また、操作席昇降シリンダ９４の作動用のスイッチ（図示省略）を設けた場合に、副変速レバー１４０の操作位置が高速位置でもスイッチの誤操作によって操作席４０を上昇させてしまうことが考えられるが、そのような誤操作を防止でき、安全性が向上する。
【００６７】
また、コンバインは主変速レバー１４４をクランク状のレバー溝１４４ａに沿って前後方向に操作することで、前進走行速と後進走行速に変速可能である。主変速レバー１４４を前進走行速位置から後方に操作して前進走行速位置と後進走行速位置の中間にある中立位置で左右方向に移動させ、更に後方に操作することで後進走行速まで移動可能である。
【００６８】
そして、主変速レバー１４４の操作位置が後進走行速位置にあるコンバインの後進時は操作席４０が下降したままの状態又は上昇位置から下降するように制御装置１００によって操作席昇降シリンダ９４を短縮作動させると良い。主変速レバー１４４の操作位置はセンサなどを設けることで検出できる。例えば、図１５に示すように、主変速レバー１４４が後進走行速位置にあることを検出する後進位置センサ１４６を主変速レバー１４４の基部に接触するように設け、主変速レバー１４４が中立位置から後進走行側のレバー溝１４４ａに操作される際に、この主変速レバー１４４の左右方向の傾動を検出する構成とする。
【００６９】
後進位置センサ１４６からの電気信号が制御装置１００に入力されると、制御装置１００からは、操作席昇降シリンダ９４を伸縮作動させるための操作席昇降ソレノイド１３５に出力する。  
コンバインの後進時は分草具４３の視認性を確保する必要はなく、かえって操作席４０が上昇しているとバランスを取りにくくなる。したがって、コンバインの後進時は操作席４０を下降させた方が、安全性が向上する。
【００７０】
図１７には、図１２〜図１５のコンバインの制御装置による操作席の昇降制御の一例（フロー）を示す。  
操作席４０の操作席昇降シリンダ９４が短縮している操作席４０の下降時において、制御装置１００によって副変速レバー１４０の操作位置が判断される。この例では、副変速レバー１４０の操作位置が走行速位置、中立位置、標準速位置、倒伏速位置の４つのモードの場合を示し、この順に高速から低速となる。走行速位置とは路上走行時に使用するモードで、比較的高速となる。標準速位置とは刈り取り作業時の標準速度のモードであり、倒伏速位置とは圃場に植立する穀稈が倒れている場合の比較的低速のモードである。
【００７１】
副変速レバー１４０の操作位置が走行速位置又は中立位置の場合はフローをリターンする。一方、副変速レバー１４０の操作位置が標準速位置又は倒伏速位置の場合は脱穀クラッチレバーの入り切りが判断される。脱穀クラッチレバーが切りの場合はフローをリターンする。一方、脱穀クラッチレバーが入りの場合は主変速レバー１４４の操作位置が判断される。
【００７２】
そして、主変速レバー１４４の操作位置が後進速位置の場合はフローをリターンする。一方、主変速レバー１４４の操作位置が前進速位置の場合は刈取装置３４が一定値以上（一定の高さ以上）上昇しているかどうか判断される。刈取装置３４が一定値以上上昇している場合はフローをリターンする。一方、刈取装置３４が一定値以上上昇していない場合（一定値未満）は制御装置１００によって操作席４０の操作席昇降シリンダ９４を伸張作動させることで、操作席４０が上昇する。操作席４０が上昇したことは、絵、図表、文字、数字、明るさなどでモニタ１２７に表示される。そして、刈取装置３４が一定値以上上昇するまで、操作席４０が上昇する。
【００７３】
このように、副変速レバー１４０の操作位置が標準速位置又は倒伏速位置の場合、且つ脱穀クラッチレバーが入りの場合、且つ主変速レバー１４４の操作位置が前進速位置の場合は刈取装置３４が一定値以上（一定の高さ以上）上昇するまで操作席４０が上昇する。そして、副変速レバー１４０の操作位置が走行速位置又は中立位置の場合、脱穀クラッチレバーが切りの場合、主変速レバー１４４の操作位置が後進速位置の場合のいずれかの場合は、刈取装置３４の上昇に関わらず、操作席４０が下降した状態（最下位置）を保つ。
【００７４】
したがって、副変速レバー１４０や主変速レバー１４４の操作位置、脱穀クラッチレバーの入り切り状態に応じて、分草具４３の視認性を確保する必要がある作業走行時にのみ操作席４０を上昇させることで、作業性が向上する。一方、分草具４３の視認性を確保する必要のない路上走行時や後進時などに、操作席４０を上昇させるとバランスを取りにくくなるが、このような場合は操作席４０が下降した状態であるので、安全性が向上する。
【産業上の利用可能性】
【００７５】
本発明のコンバインは、複数条植えの乗用型のコンバインに利用可能性がある。
【符号の説明】
【００７６】
１ クローラ                 ２ 車体フレーム
３ グレンタンク             ４ 縦オーガ
５ 横オーガ                 ６ 固定搬送筒（基部側筒）
７ 移動搬送筒（先端側筒）   ８  排出オーガ
９ 排出口                   １０  底部螺旋
１１ 螺旋軸（第１螺旋軸）   １２  駆動軸
１３ 縦オーガ螺旋           １４  横オーガ螺旋
１５ 伸縮螺旋               １６  伸縮螺旋の螺旋軸（第２螺旋軸）
１７ 螺旋部材（螺旋単体）   １８  軸受ボス
１９ スペーサ               ２０  螺旋体
２３ 伸縮駆動装置           ２４  伸縮制御モータ
２５ 螺旋軸                 ２６  移動装置
２７ 昇降油圧シリンダ       ３４  刈取装置
３６  中間螺旋              ３７  脱穀装置
３９  中間螺旋軸            ４０  操作席
４３  分草具                ４６  刈刃装置
４７  刈取縦フレーム        ４８  穀稈引起し装置
４９  供給搬送装置          ５３  供給チェン
５５  エンジン              ５６  刈取横フレーム
５８  変速装置              ５９  螺旋駆動軸
６０  ワンウェイクラッチ    ６２  モータ
６５  ベアリング            ６７  ベアリング支持部材
７０  駆動軸               ７３  カップリング
７５  ベアリング           ８０  モータ側バッテリー
９０  フロアステップ        ９２  サブステップフレーム
９４  操作席昇降シリンダ    ９５  前方パネル
１００  制御装置（ＣＰＵ）  １０１  オーガ伸縮量センサ
１０３  穀粒センサ          １０５  オーガポジションセンサ
１０７  排出オーガ螺旋の駆動変速スイッチ
１０９  オーガ上げスイッチ
１１１  オーガ下げスイッチ
１１３  オーガ右旋回スイッチ１１５  オーガ左旋回スイッチ
１１９  緊急停止スイッチ
１２１  キースイッチ        １２３  排出スイッチ
１２５  オーガ旋回モータ    １２７  モニタ
１２９  オーガ上昇ソレノイド
１３１  オーガ下降ソレノイド
１３２  刈取昇降センサ      １３４  刈取部昇降ソレノイド
１３５  操作席昇降ソレノイド
１４０  副変速レバー        １４２  副変速レバーセンサ
１４４  主変速レバー        １４４ａ  レバー溝
１４６  後進位置センサ      １５０  脱穀クラッチセンサ
Ｓ１ 伸張リミットスイッチ   Ｓ２ 短縮リミットスイッチ
【図１】
2012010644.tif 000003
【図２】
2012010644.tif 000004
【図３】
2012010644.tif 000005
【図４】
2012010644.tif 000006
【図５】
2012010644.tif 000007
【図６】
2012010644.tif 000008
【図７】
2012010644.tif 000009
【図８】
2012010644.tif 000010
【図９】
2012010644.tif 000011
【図１０】
2012010644.tif 000012
【図１１】
2012010644.tif 000013
【図１２】
2012010644.tif 000014
【図１３】
2012010644.tif 000015
【図１４】
2012010644.tif 000016
【図１５】
2012010644.tif 000017
【図１６】
2012010644.tif 000018
【図１７】
2012010644.tif 000019